(57)【要約】【課題】簡単な構成で適切に取り付け可能なガスケットを提供する。【解決手段】ガスケット３００に、スポンジ状部材３１０と、帯状導電可撓部材３４０の両端近傍が接合されてスポンジ状部材３１０を覆う四角筒状に形成された四角筒部３５０と、帯状導電可撓部材３４０の接合部分近傍の内周面同士が接合されて舌片状に形成された取付舌片部３６０と、を設けている。このため、取付舌片部３６０を取付手段６００でケース体２００に取り付けることにより、ガスケット３００が外れてしまうのを抑制できる。また、例えば設計変更などによりガスケット３００を新たに配置する場合であっても、この配置する部材に取付ボルト６０１を挿通させる孔を形成するだけで対応できる。さらに、配置位置が狭い場合であっても、突起部と比べて容易に設けることができる孔を形成することにより、ガスケット３００を配置できる。【選択図】図２
2007157342.tif 000002
【特許請求の範囲】
【請求項１】
ケース体と、このケース体の内部に配置される電子部品に電気的に接続され前記ケース体の一面に対向する対向面を有する電子部品接続部材と、を電気的に接続する導通装置であって、
弾性を有する材料により、前記ケース体の一面および前記電子部品接続部材の前記対向面にそれぞれ対向する一対の面を有する形状に形成された弾性部材と、
導電性および可撓性を有する材料により形成され、前記弾性部材の前記一対の面にわたって設けられた導電可撓部と、
この導電可撓部における前記ケース体の一面に対向する部分または前記電子部品接続部材の一面に対向する部分の一縁から外方に向けて一体的に突出する状態で設けられ、取付手段により前記ケース体または前記電子部品接続部材の前記対向面に取り付けられる取付突出部と、
を具備したことを特徴とした導通装置。
【請求項２】
請求項１に記載の導通装置であって、
前記導電可撓部は、前記弾性部材の前記一対の面を覆う筒状に形成され、
前記取付突出部は、前記導電可撓部の外周面から周方向の外方に向けて舌片状に突出する状態で設けられた
ことを特徴とした導通装置。
【請求項３】
ケース体と、このケース体の内部に配置される電子部品に電気的に接続され前記ケース体の一面に対向する対向面を有する電子部品接続部材と、を電気的に接続する導通装置であって、
弾性を有する材料により、前記ケース体の一面および前記電子部品接続部材の前記対向面にそれぞれ対向する一対の面を有する形状に形成された弾性部材と、
導電性および可撓性を有する材料により帯状に形成された帯状導電可撓部材の両端縁近傍が接合されることにより、前記弾性部材の前記一対の面を覆う筒状に形成された導電可撓部と、
前記導電可撓部の一部の内周面同士が互いに対向する状態で接合されることにより、前記導電可撓部における前記ケース体の一面に対向する部分または前記電子部品接続部材の一面に対向する部分の外周面から周方向の外側に向けて舌片状に突出する状態で設けられ、取付手段により前記ケース体または前記電子部品接続部材の前記対向面に取り付けられる取付突出部と、
を具備したことを特徴とした導通装置。
【請求項４】
請求項２または請求項３に記載の導通装置であって、
前記弾性部材は、直方体状または立方体状に形成され、
前記導電可撓部は、略四角板状の４つの四角板状部により四角筒状に形成され、
前記導電可撓部における前記弾性部材の前記一対の面のうち一方を覆う第１の前記四角板状部に連続する第２の四角板状部および第３の四角板状部は、前記第１の四角板状部に連続する側縁と略平行な折れ線に沿って折曲可能に形成された
ことを特徴とした導通装置。
【請求項５】
請求項４に記載の導通装置であって、
前記第２の四角板状部および第３の四角板状部は、前記折れ線が前記四角筒状の中心側に移動する状態に折曲可能に形成された
ことを特徴とした導通装置。
【請求項６】
請求項４または請求項５に記載の導通装置であって、
前記折れ線は、前記第１の四角板状部までの距離と、この第１の四角板状部と対向する第４の前記四角板状部までの距離と、が略等しくなる位置に設けられた
ことを特徴とした導通装置。
【請求項７】
請求項１ないし請求項６のいずれかに記載の導通装置であって、
前記弾性部材は、導電性を有さない材料により形成された
ことを特徴とした導通装置。
【請求項８】
ケース体と、
このケース体の内部に配置される電子部品と、
この電子部品に電気的に接続され前記ケース体の一面に対向する対向面を有する電子部品接続部材と、
前記ケース体および前記電子部品接続部材を電気的に接続する請求項１ないし請求項７のいずれかに記載の導通装置と、
を具備したことを特徴とした電子機器。
【発明の詳細な説明】
【技術分野】
【０００１】
本発明は、ケース体と、このケース体の内部に配置される電子部品に電気的に接続され前記ケース体の一面に対向する対向面を有する電子部品接続部材と、を電気的に接続する導通装置、および、電子機器に関する。
【背景技術】
【０００２】
従来、携帯電話などの電子機器において、導電性を有する筐体と、フレキシブル基板と、を電気的に接続する構成が知られている（例えば、特許文献１参照）。
【０００３】
この特許文献１に記載の構成のものは、導電性および弾性を有する平板状のガスケットを備えている。このガスケットは、フレキシブル基板の導電部に貼り付けられて筐体内に組み込まれる。そして、筐体のフロントケースとリアカバーとを互いに嵌合させ、携帯電話機が組み立てられた際に、圧縮荷重を受けて変形した状態で、フレキシブル基板と筐体の内面との間に介挿され、反発力によって、自身をフレキシブル基板および筐体に押し付け、フレキシブル基板と筐体との電気的な接続をとっている。
【０００４】
また、２個の導電性部材の間に挟み込まれて設けられ、これらの導電性部材を電気的に接続する他の構成が知られている。この構成のものは、導電性部材におけるガスケットが配置される部分の周縁に突起部を設け、この突起部によりガスケットが外れるのを防止している。
【０００５】
【特許文献１】特開２００４−１９３０８２号公報（第５頁−第１０頁）
【発明の開示】
【発明が解決しようとする課題】
【０００６】
しかしながら、特許文献１に記載のような構成では、ガスケットが筐体とフレキシブル基板との間で貼り付けられているため、ガスケットが外れてしまうおそれがあるという問題点が一例として挙げられる。また、突起部を設ける構成では、例えば設計変更などによりガスケットを新たに配置する場合、導電性部材を成型する金型を変更することや、配置位置が狭いために突起部を設けることが、困難となるおそれがあるという問題点が一例として挙げられる。
【０００７】
本発明は、上述したような問題点に鑑みて、簡単な構成で適切に取り付け可能な導通装置、および、電子機器を提供することを１つの目的とする。
【課題を解決するための手段】
【０００８】
請求項１に記載の発明は、ケース体と、このケース体の内部に配置される電子部品に電気的に接続され前記ケース体の一面に対向する対向面を有する電子部品接続部材と、を電気的に接続する導通装置であって、弾性を有する材料により、前記ケース体の一面および前記電子部品接続部材の前記対向面にそれぞれ対向する一対の面を有する形状に形成された弾性部材と、導電性および可撓性を有する材料により形成され、前記弾性部材の前記一対の面にわたって設けられた導電可撓部と、この導電可撓部における前記ケース体の一面に対向する部分または前記電子部品接続部材の一面に対向する部分の一縁から外方に向けて一体的に突出する状態で設けられ、取付手段により前記ケース体または前記電子部品接続部材の前記対向面に取り付けられる取付突出部と、を具備したことを特徴とした導通装置である。
【０００９】
請求項３に記載の発明は、ケース体と、このケース体の内部に配置される電子部品に電気的に接続され前記ケース体の一面に対向する対向面を有する電子部品接続部材と、を電気的に接続する導通装置であって、弾性を有する材料により、前記ケース体の一面および前記電子部品接続部材の前記対向面にそれぞれ対向する一対の面を有する形状に形成された弾性部材と、導電性および可撓性を有する材料により帯状に形成された帯状導電可撓部材の両端縁近傍が接合されることにより、前記弾性部材の前記一対の面を覆う筒状に形成された導電可撓部と、前記導電可撓部の一部の内周面同士が互いに対向する状態で接合されることにより、前記導電可撓部における前記ケース体の一面に対向する部分または前記電子部品接続部材の一面に対向する部分の外周面から周方向の外側に向けて舌片状に突出する状態で設けられ、取付手段により前記ケース体または前記電子部品接続部材の前記対向面に取り付けられる取付突出部と、を具備したことを特徴とした導通装置である。
【００１０】
請求項８に記載の発明は、ケース体と、このケース体の内部に配置される電子部品と、この電子部品に電気的に接続され前記ケース体の一面に対向する対向面を有する電子部品接続部材と、前記ケース体および前記電子部品接続部材を電気的に接続する請求項１ないし請求項７のいずれかに記載の導通装置と、を具備したことを特徴とした電子機器である。
【発明を実施するための最良の形態】
【００１１】
以下、本発明の一実施の形態について図面に基づいて説明する。なお、本実施の形態では、電子機器としてのプラズマディスプレイパネル（以下、ＰＤＰと称す）を例示して説明するが、他の電子機器を対象とすることができる。図１は、本発明の一実施の形態に係るＰＤＰの要部の概略構成を示す断面図である。図２は、ＰＤＰの要部の概略構成を示す分解斜視図である。
【００１２】
〔プラズマディスプレイパネルの構成〕
図１において、１００は電子機器としてのＰＤＰで、このＰＤＰ１００は、例えば略平面長方形状に形成され、プラズマ放電による発光を利用して画像を表示したり、音声を出力したりする。ＰＤＰ１００は、図示しないＰＤＰ筐体を備えている。このＰＤＰ筐体は、例えば導電性を有さない材料により前面が開口された略薄箱状に形成されている。そして、ＰＤＰ筐体には、図１および図２に示すように、ケース体２００と、導通装置としてのガスケット３００と、電子部品接続部材としての回路基板接続部材４００と、電子部品としての回路基板５００と、図示しない、表示部と、音声出力部と、チューナと、などが設けられている。
【００１３】
表示部は、ＰＤＰ筐体の前面を閉塞する状態で設けられ、回路基板５００の図示しない処理部の制御により画像を表示する。音声出力部は、ＰＤＰ筐体の例えば前面下方から臨んで設けられ、処理部の制御により音声を出力する。チューナは、例えば図示しないアンテナに接続され、このアンテナで受信された信号を所定の信号に変換して、処理部へ出力する。
【００１４】
ケース体２００は、導電性を有する材料により、ここでは図示しないが例えば上面が開口された略箱状に形成されている。このケース体２００は、ＰＤＰ筐体の内部に配置されるとともに、接地されている。また、ケース体２００の側面２１０における上端近傍部分には、取付手段６００の取付ボルト６０１が挿通可能なケースボルト挿通孔２１１が開口形成されている。
【００１５】
ガスケット３００は、取付手段６００によりケース体２００の側面２１０に取り付けられる。さらに、ガスケット３００は、ケース体２００および回路基板接続部材４００により挟み込まれた状態で取り付けられ、ケース体２００と、回路基板接続部材４００と、を電気的に接続する。そして、ガスケット３００は、弾性部材としてのスポンジ状部材３１０と、導電繊維筒部材３３０と、を備えている。
【００１６】
スポンジ状部材３１０は、弾性を有し、かつ、導電性を有さない例えば合成樹脂材により、図２に示すように、スポンジ状、かつ、立方体状に形成されている。このスポンジ状部材３１０の互いに対向する一対の面は、スポンジ前面３１１およびスポンジ背面３１２とされている。また、他の一対の面は、スポンジ右面３１３およびスポンジ左面３１４とされている。さらに他の一対の面は、スポンジ上面３１５およびスポンジ下面３１６とされている。
【００１７】
導電繊維筒部材３３０は、導電性および可撓性を有する繊維により帯状に形成された帯状導電可撓部材３４０により、スポンジ状部材３１０を覆う四角筒状に形成された導電可撓部としての四角筒部３５０と、この四角筒部３５０の外周面から周方向の外側に向けて長方形の舌片状に突出する状態で設けられ、取付手段６００によりケース体２００に取り付けられる取付突出部としての取付舌片部３６０と、を有する略四角筒状に形成されている。具体的には、導電繊維筒部材３３０は、帯状導電可撓部材３４０の両端近傍が例えば接着剤などの接合手段により接合されて四角筒状に形成された四角筒部３５０と、帯状導電可撓部材３４０の接合部分近傍の内周面同士が互いに対向する状態で接合されることにより舌片状に形成された取付舌片部３６０と、を有する形状に形成されている。
【００１８】
四角筒部３５０は、スポンジ前面３１１を覆う第１の四角板状部３５１と、スポンジ上面３１５を覆う第２の四角板状部３５２と、スポンジ下面３１６を覆う第３の四角板状部３５３と、スポンジ背面３１２を覆う第４の四角板状部３５４と、にて、四角筒状に形成されている。すなわち、四角筒部３５０は、スポンジ状部材３１０の対向するスポンジ前面３１１およびスポンジ背面３１２にわたって設けられている。また、四角筒部３５０は、帯状導電可撓部材３４０の両端近傍の接合部分が、第４の四角板状部３５４の上下方向略中央に位置する状態に形成されている。
【００１９】
第２，第３の四角板状部３５２，３５３には、前後方向略中央に位置し、かつ、第１の四角板状部３５１に連続する側縁に平行な折れ線３５２Ａ，３５３Ａが設けられている。すなわち、折れ線３５２Ａ，３５３Ａは、第１，第４の四角板状部３５１，３５４までの距離が略等しくなる位置に設けられている。この折れ線３５２Ａ，３５３Ａは、詳しくは後述するが、ガスケット３００が回路基板接続部材４００によりケース体２００側に押し付けられた際に、四角筒部３５０の中央側に移動して第２，第３の四角板状部３５２，３５３を屈曲させるとともに、第１の四角板状部３５１を第４の四角板状部３５４に近づける状態でガスケット３００を変形させる状態に設けられている。すなわち、折れ線３５２Ａ，３５３Ａは、ガスケット３００を、上下側が内側に押し込まれた状態で前後方向に圧縮させる状態に設けられている。
【００２０】
第４の四角板状部３５４には、上下方向下側における右端から左端にかけて、両面テープ３７０が貼り付けられている。
【００２１】
取付舌片部３６０は、上述したように、四角筒部３５０の外周面から周方向の外側に向けて突出する状態で、すなわち四角筒部３５０におけるスポンジ背面３１２に対向する部分の一縁から外方に向けて一体的に突出する状態で設けられている。この取付舌片部３６０は、左右方向の長さ寸法が四角筒部３５０と略同一寸法を有し、かつ、上下方向の長さ寸法が第４の四角板状部３５４の約半分の寸法を有する長方形板状に形成されている。また、取付舌片部３６０は、上述したように、帯状導電可撓部材３４０の内周面同士が互いに対向する状態で接合され、帯状導電可撓部材３４０の一部分が直接的に重ね合わされた構成を有している。この取付舌片部３６０の略中央には、取付ボルト６０１が挿通可能なガスケットボルト挿通孔３６１が開口形成されている。
【００２２】
回路基板接続部材４００は、導電性を有する材料により、ここでは図示しないが例えば四角板状に形成されている。この回路基板接続部材４００は、回路基板５００に電気的に接続されている。そして、回路基板接続部材４００は、ガスケット３００をケース体２００に押し付けた状態で、図示しないねじなどの固定部材により、例えばケース体２００に固定されて取り付けられる。
【００２３】
回路基板５００は、ケース体２００の内部に配設されている。この回路基板５００は、図示しない処理部などを備えている。この処理部は、チューナからの信号を取得して、この信号に基づく画像を表示部で表示させる。また、チューナからの信号に基づく音声を音声出力部で出力させる。
【００２４】
〔ガスケットの取り付け動作〕
次に、ガスケット３００の取り付け動作について説明する。
【００２５】
まず、ガスケット３００を、第４の四角板状部３５４がケース体２００の側面２１０に対向する状態に位置させる。そして、ガスケット３００を、取付手段６００で側面２１０に取り付ける。
【００２６】
具体的には、ガスケット３００を、ガスケットボルト挿通孔３６１がケースボルト挿通孔２１１に略一致させるように位置させ、第４の四角板状部３５４および取付舌片部３６０を側面２１０の一面２１０Ａに当接させる。そして、第４の四角板状部３５４を、両面テープ３７０により一面２１０Ａに貼り付ける。この後、取付手段６００の取付ボルト６０１を、一面２１０Ａ側からガスケットボルト挿通孔３６１およびケースボルト挿通孔２１１に挿通させ、その先端を側面２１０の他面２１０Ｂ側から突出させる。そして、この突出した部分に取付ナット６０２を螺合させて、ガスケット３００をケース体２００に取り付ける。
【００２７】
次に、回路基板接続部材４００を、図１に示すように、ガスケット３００をケース体２００に押し付ける状態で取り付ける。具体的には、回路基板接続部材４００を、ケース体２００に取り付ける状態に移動させると、ケース体対向面４００Ａが第１の四角板状部３５１に当接する。そして、回路基板接続部材４００は、ガスケット３００をケース体２００側に押し付けて、前後方向に圧縮する。このとき、ガスケット３００は、導電繊維筒部材３３０の第２，第３の四角板状部３５２，３５３が折れ線３５２Ａ，３５３Ａに沿って屈曲され、上下側が内側に押し込まれた状態で前後方向に圧縮される。ここで、第１，第４の四角板状部３５１，３５４は、折れ線３５２Ａ，３５３Ａが第１，第４の四角板状部３５１，３５４までの距離が略等しくなる位置に設けられているため、上下方向に変形することなく略等しい形状を維持しながら互いに近づく。
【００２８】
この後、回路基板接続部材４００をケース体２００に取り付ける。これにより、図１に示すように、ガスケット３００は、圧縮した状態で取り付けられる。また、回路基板接続部材４００は、ガスケット３００を介してケース体２００に電気的に接続されて接地される。このため、回路基板接続部材４００に接続された回路基板５００も、接地される。さらに、スポンジ状部材３１０が弾性を有するとともに、四角筒部３５０が可撓性を有する帯状導電可撓部材３４０により形成されているため、ケース体２００や回路基板接続部材４００の表面に微小な凹凸が存在している場合であっても、第１，第４の四角板状部３５１，３５４の外面がケース体２００や回路基板接続部材４００に密着した状態で取り付けられる。
【００２９】
〔プラズマディスプレイパネルの作用効果］
上述したように、上記実施の形態では、ガスケット３００に、弾性を有する材料により形成されたスポンジ状部材３１０と、導電性および可撓性を有する材料により形成されスポンジ前面３１１およびスポンジ背面３１２にわたって設けられた四角筒部３５０と、この四角筒部３５０におけるスポンジ背面３１２に対向する部分の一縁から外方に向けて一体的に突出し取付手段６００によりケース体２００に取り付けられる取付舌片部３６０と、を設けている。
【００３０】
このため、ガスケット３００の取付舌片部３６０を取付手段６００でケース体２００に取り付けることにより、これらを貼り付ける従来の構成と比べて、ガスケット３００が外れてしまうのを抑制できる。また、例えば設計変更などによりガスケット３００を新たに配置する場合であっても、この配置する部材に取付ボルト６０１を挿通させる孔を形成するだけでよく、突起部を設ける従来の構成のように、配置する部材を成型する金型を変更する必要がない。さらに、配置位置が狭い場合であっても、突起部と比べて容易に設けることができる孔を形成することにより、ガスケット３００を配置できる。したがって、簡単な構成で適切に取り付け可能なガスケット３００を提供できる。また、弾性を有するスポンジ状部材３１０に、第１，第４の四角板状部３５１，３５４を設けているので、ガスケット３００、ケース体２００、回路基板接続部材４００を精密に形成しなくても、これらの間に隙間を生じさせることがなく、がたつきをなくした状態で固定できる。さらに、簡単な構成で取り付け可能なガスケット３００をＰＤＰ１００に適用しているため、ＰＤＰ１００の回路基板５００の接地を簡単な構成で適切にできる。
【００３１】
そして、ガスケット３００に、四角筒状に形成された四角筒部３５０を設けている。このため、第２，第３の四角板状部３５２，３５３が上下方向に位置する状態でガスケット３００を取り付けることにより、例えばスポンジ状部材３１０が経年劣化して、細かな破片などがケース体２００内に落下するのを抑制できる。
【００３２】
また、ガスケット３００を、スポンジ状部材３１０と、帯状導電可撓部材３４０の両端近傍が接合手段により接合されてスポンジ状部材３１０を覆う四角筒状に形成された四角筒部３５０と、帯状導電可撓部材３４０の接合部分近傍の内周面同士が互いに対向する状態で接合されることにより舌片状に形成された取付舌片部３６０と、により構成している。このため、帯状導電可撓部材３４０を接合してスポンジ状部材３１０を取り付けるだけの簡単な方法で、ガスケット３００を形成できる。
【００３３】
そして、第２，第３の四角板状部３５２，３５３に、第１の四角板状部３５１に連続する側縁に平行な折れ線３５２Ａ，３５３Ａを設けている。このため、折れ線３５２Ａ，３５３Ａに沿ってガスケット３００を前後方向に圧縮させることにより、ガスケット３００毎の圧縮状態を略同一にすることができる。したがって、ガスケット３００毎の導通状態や固定状態のばらつきを最小限に抑えることができる。
【００３４】
また、第２，第３の四角板状部３５２，３５３を、折れ線３５２Ａ，３５３Ａが四角筒部３５０の中央側に移動する状態に屈曲可能に設けている。すなわち、ガスケット３００を、上下側が内側に押し込まれた状態で前後方向に圧縮されるように形成している。このため、ガスケット３００を上下側が外側に突出する状態で前後方向に圧縮されるように形成する構成と比べて、前後方向への圧縮の復元力を強めることができる。したがって、第１，第４の四角板状部３５１，３５４を、ケース体２００、回路基板接続部材４００により強く押し付けることができ、さらに良好に導通できる。
【００３５】
さらに、折れ線３５２Ａ，３５３Ａを、第１，第４の四角板状部３５１，３５４までの距離が略等しくなる位置に設けられている。このため、ガスケット３００を圧縮させた際に、第１，第４の四角板状部３５１，３５４を上下方向に変形させることなく略等しい形状を維持させながら互いに近づけることができ、第１，第４の四角板状部３５１，３５４のケース体２００および回路基板接続部材４００との接触状態を略同一にできる。したがって、より良好に導通できる。
【００３６】
そして、本発明の弾性部材として、導電性を有さない合成樹脂材により形成されたスポンジ状部材３１０を適用している。このため、スポンジ状部材３１０が経年劣化して、細かな破片などがケース体２００内に落下したとしても、本来導通させるべきでない部品同士を導通させることがなくなり、誤動作を防止できる。
【００３７】
〔実施の形態の変形〕
なお、本発明は、上述した一実施の形態に限定されるものではなく、本発明の目的を達成できる範囲で以下に示される変形をも含むものである。
【００３８】
すなわち、図３に示すような構成としてもよい。この図３に示す導通装置としてのガスケット７００は、スポンジ状部材３１０と、導電繊維部材７３０と、を備えている。導電繊維部材７３０は、帯状導電可撓部材７４０を所定の状態に接合および折曲することにより、スポンジ前面３１１を覆う前面四角板状部７３１と、スポンジ上面３１５を覆う上面四角板状部７３２と、この上面四角板状部７３２の一縁から外方に向けて舌片状に突出する状態で設けられた取付突出部としての取付舌片部７３３と、スポンジ背面３１２を覆う背面四角板状部７３４と、を有する形状に形成されている。
【００３９】
具体的には、帯状導電可撓部材７４０の一端側に設けられた前面四角板状部７３１と、この前面四角板状部７３１の一側縁に沿って略垂直に折曲形成された上面四角板状部７３２と、この上面四角板状部７３２の一側縁に沿って前面四角板状部７３１と反対方向に略垂直に折曲形成された後に折り返されて接合された取付舌片部７３３と、この取付舌片部７３３から帯状導電可撓部材７４０の他端に設けられた背面四角板状部７３４と、を有する形状に形成されている。ここで、前面四角板状部７３１、上面四角板状部７３２、および、背面四角板状部７３４は、本発明の導電可撓部として機能している。また、取付舌片部７３３には、図示しないガスケットボルト挿通孔が開口形成されている。そして、ガスケット７００は、背面四角板状部７３４がケース体２００に当接し前後方向に圧縮された状態で、ケース体２００および回路基板接続部材４００の間に取り付けられる。
【００４０】
このような図３に示すような構成にしても、上記実施の形態のガスケット３００と同様に、簡単な構成で適切に取り付けることができる。また、ガスケット３００と比べて、帯状導電可撓部材７４０の使用量を減らすことができ、コストを低減できる。なお、上面四角板状部７３２に、ガスケット３００の折れ線３５２Ａと同様の折れ線を設ける構成としてもよい。
【００４１】
さらに、第２，第３の四角板状部３５２，３５３のうち少なくともいずれか一方を、折れ線３５２Ａ，３５３Ａが四角筒部３５０の外側に移動する状態に屈曲可能に設けてもよい。また、折れ線３５２Ａ，３５３Ａのうち少なくともいずれか一方を、第１，第４の四角板状部３５１，３５４までの距離が略等しくならない位置に設けてもよい。そして、本発明の弾性部材としては、導電性を有する材料により形成してもよい。また、取付舌片部３６０を、スポンジ前面３１１に対向する部分の一縁から外方に向けて突出し取付手段６００により回路基板接続部材４００に取り付けられる構成としてもよい。なお、図３においても、同様の構成を適用してもよい。これらのような構成にしても、上記実施の形態と同様に、ガスケット３００を簡単な構成で適切に取り付けることができる。
【００４２】
また、折れ線３５２Ａ，３５３Ａのうち少なくともいずれか一方を設けない構成としてもよい。このような構成にすれば、ガスケット３００の製造を容易にできる。
【００４３】
本発明の取付手段としては、取付ボルト６０１および取付ナット６０２を備えた構成に限らず、取付ボルト６０１のみを備えるとともに例えば側面２１０にねじ孔を設ける構成としてもよいし、側面２１０にフックを設ける構成としてもよい。そして、本発明の電子部品としては、回路基板５００に限らずチューナ、アンプ、ディスクドライブなどとしてもよい。
【００４４】
さらに、ガスケット３００を取り付ける電子機器としては、ＰＤＰ１００に限らず、音楽や映像を記録したり再生したりする車載型や設置型の記録装置や再生装置あるいは記録再生装置、パーソナルコンピュータ、携帯電話、テレビ装置、ナビゲーション装置などとしてもよい。
【００４５】
〔実施の形態の作用効果〕
上述したように、上記実施の形態では、ガスケット３００に、弾性を有する材料により形成されたスポンジ状部材３１０と、導電性および可撓性を有する材料により形成されスポンジ前面３１１およびスポンジ背面３１２にわたって設けられた四角筒部３５０と、この四角筒部３５０におけるスポンジ背面３１２に対向する部分の一縁から外方に向けて一体的に突出し取付手段６００によりケース体２００に取り付けられる取付舌片部３６０と、を設けている。
【００４６】
このため、ガスケット３００の取付舌片部３６０を取付手段６００でケース体２００に取り付けることにより、これらを貼り付ける従来の構成と比べて、ガスケット３００が外れてしまうのを抑制できる。また、例えば設計変更などによりガスケット３００を新たに配置する場合であっても、この配置する部材に取付ボルト６０１を挿通させる孔を形成するだけでよく、突起部を設ける従来の構成のように、配置する部材を成型する金型を変更する必要がない。さらに、配置位置が狭い場合であっても、突起部と比べて容易に設けることができる孔を形成することにより、ガスケット３００を配置できる。したがって、簡単な構成で適切に取り付け可能なガスケット３００を提供できる。
【００４７】
また、ガスケット３００を、スポンジ状部材３１０と、帯状導電可撓部材３４０の両端近傍が接合手段により接合されてスポンジ状部材３１０を覆う四角筒状に形成された四角筒部３５０と、帯状導電可撓部材３４０の接合部分近傍の内周面同士が互いに対向する状態で接合されることにより舌片状に形成された取付舌片部３６０と、により構成している。
【００４８】
このため、上述したような作用により、簡単な構成で適切に取り付け可能なガスケット３００を提供できる。さらに、帯状導電可撓部材３４０を接合してスポンジ状部材３１０を取り付けるだけの簡単な方法で、ガスケット３００を形成できる。
【００４９】
そして、ＰＤＰ１００に、ケース体２００と、回路基板接続部材４００と、簡単な構成で取り付け可能なガスケット３００と、を設けている。このため、ＰＤＰ１００の回路基板５００の接地を簡単な構成で適切にできる。
【図面の簡単な説明】
【００５０】
【図１】本発明の一実施の形態に係る本発明の一実施の形態に係るプラズマディスプレイパネルの要部の概略構成を示す断面図である。
【図２】前記一実施の形態におけるプラズマディスプレイパネルの要部の概略構成を示す分解斜視図である。
【図３】本発明の他の実施に形態に係るガスケットの側面図である。
【符号の説明】
【００５１】
１００……電子機器としてのＰＤＰ（プラズマディスプレイパネル）
２００……ケース体
２１０Ａ…一面
３００，７００……導通装置としてのガスケット
３１０……弾性部材としてのスポンジ状部材
３４０，７４０…帯状導電可撓部材
３５０……導電可撓部としての四角筒部
３５１〜３５３…第１〜第３の四角板状部
３５２Ａ，３５３Ａ…折れ線
３６０，７３３……取付突出部としての取付舌片部
４００……電子部品接続部材としての回路基板接続部材
４００Ａ…ケース体対向面
５００……電子部品としての回路基板
６００……取付手段
７３１……導電可撓部としての前面四角板状部
７３２……導電可撓部としての上面四角板状部
７３４……導電可撓部としての背面四角板状部
【図１】
2007157342.tif 000003
【図２】
2007157342.tif 000004
【図３】
2007157342.tif 000005